(57)【特許請求の範囲】
【請求項１】
各チャネルに対して、チャネル定格フルパワーとチャネル設定パワーとの差分値を算出するステップと、
セル設定パワーの範囲が拡大されるように、算出された差分値によって目標ベースバンドゲイン及び目標ＲＦゲインを調整するステップと、
現在のベースバンドゲインを目標ベースバンドゲインに調整し、現在のＲＦゲインを目標ＲＦゲインに調整するステップと
を含み、
前記算出された差分値によって目標ベースバンドゲイン及び目標ＲＦゲインを調整するステップは、
前記算出された差分値が前記ベースバンドゲインの最大値と前記ベースバンドゲインの最小値との差以下であると判断した場合、前記目標ベースバンドゲインをｙ１に調整し、前記目標ＲＦゲインをＣに調整するステップ、または、
前記算出された差分値が前記ＲＦゲインの最大値と前記ＲＦゲインの最小値との差以下であると判断した場合、前記目標ベースバンドゲインをＤに調整し、前記目標ＲＦゲインをｙ３に調整するステップ
を含み、
ここで、ｙ１＝Ｐｃ−Ｍ−Ｎ−Ｃであり、ｙ３＝Ｐｃ−Ｍ−Ｎ−Ｄであり、
ただし、Ｐｃは前記チャネル設定パワーであり、Ｍはベースバンド信号パワーが０フルスケール相対レベルｄＢＦＳである場合に対応するＲＦパワーであり、Ｎはベースバンド信号のマキシマムパワーであり、Ｃは前記ＲＦゲインの最大値であり、Ｄは前記ベースバンドゲインの最大値である
ゲイン調整方法。
【請求項２】
前記算出された差分値が前記ベースバンドゲインの最大値と前記ベースバンドゲインの最小値との差より大きいと判断した場合、前記算出された差分値によって目標ベースバンドゲイン及び目標ＲＦゲインを調整するステップは、
前記目標ベースバンドゲインをＡに調整し、前記目標ＲＦゲインをｙ２に調整するステップをさらに含み、
ここで、ｙ２＝Ｐｃ−Ｍ−Ｎ−Ａであり、
ただし、Ａは前記ベースバンドゲインの最小値である
請求項１に記載のゲイン調整方法。
【請求項３】
前記算出された差分値が前記ＲＦゲインの最大値と前記ＲＦゲインの最小値との差より大きいと判断した場合、前記算出された差分値によって目標ベースバンドゲイン及び目標ＲＦゲインを調整するステップは、
前記目標ＲＦゲインをＢに調整し、前記目標ベースバンドゲインをｙ４に調整するステップをさらに含み、
ここで、ｙ４＝Ｐｃ−Ｍ−Ｎ−Ｂであり、
ただし、Ｂは前記ＲＦゲインの最小値である
請求項１に記載のゲイン調整方法。
【請求項４】
各チャネルに対して、チャネル定格フルパワーとチャネル設定パワーとの差分値を算出し、セル設定パワーの範囲が拡大されるように、算出された差分値によって目標ベースバンドゲイン及び目標ＲＦゲインを調整するサービスモジュールと、
現在のベースバンドゲインを目標ベースバンドゲインに調整するベースバンドモジュールと、
現在のＲＦゲインを目標ＲＦゲインに調整するＲＦモジュールと
を備え、
前記サービスモジュールは、
各チャネルに対して、チャネル定格フルパワーとチャネル設定パワーとの差分値を算出し、前記算出された差分値が前記ベースバンドゲインの最大値と前記ベースバンドゲインの最小値との差以下であると判断した場合、前記目標ベースバンドゲインをｙ１に調整し、前記目標ＲＦゲインをＣに調整するように構成され、または
前記算出された差分値が前記ＲＦゲインの最大値と前記ＲＦゲインの最小値との差以下であると判断した場合、前記目標ベースバンドゲインをＤに調整し、前記目標ＲＦゲインをｙ３に調整するように構成され、
ここで、ｙ１＝Ｐｃ−Ｍ−Ｎ−Ｃであり、ｙ３＝Ｐｃ−Ｍ−Ｎ−Ｄであり、
ただし、Ｐｃは前記チャネル設定パワーであり、Ｍはベースバンド信号パワーが０フルスケール相対レベルｄＢＦＳである場合に対応するＲＦパワーであり、Ｎはベースバンド信号のマキシマムパワーであり、Ｃは前記ＲＦゲインの最大値であり、Ｄは前記ベースバンドゲインの最大値である
ゲイン調整装置。
【請求項５】
前記サービスモジュールは、
前記算出された差分値が前記ベースバンドゲインの最大値と前記ベースバンドゲインの最小値との差より大きいと判断した場合、前記目標ベースバンドゲインをＡに調整し、前記目標ＲＦゲインをｙ２に調整するように構成され、
ここで、ｙ２＝Ｐｃ−Ｍ−Ｎ−Ａであり、
ただし、Ａは前記ベースバンドゲインの最小値である
請求項４に記載のゲイン調整装置。
【請求項６】
前記サービスモジュールは、
前記算出された差分値が前記ＲＦゲインの最大値と前記ＲＦゲインの最小値との差より大きいと判断した場合、前記目標ＲＦゲインをＢに調整し、前記目標ベースバンドゲインをｙ４に調整するように構成され、
ここで、ｙ４＝Ｐｃ−Ｍ−Ｎ−Ｂであり、
ただし、Ｂは前記ＲＦゲインの最小値である
請求項４に記載のゲイン調整装置。
【請求項７】
プロセッサーに実行されることにより請求項１〜３のいずれか１項に記載のゲイン調整方法を実現するプログラム。
【請求項８】
請求項７に記載のプログラムが記憶された記録媒体。
【発明の詳細な説明】
【技術分野】
【０００１】
本発明は、ロングタームエボリューション（ＬＴＥ：Ｌｏｎｇ  Ｔｅｒｍ  Ｅｖｏｌｕｔｉｏｎ）技術に関し、特にゲイン調整方法及び装置に関する。
【背景技術】
【０００２】
ＬＴＥシステム（時分割デュプレクス（ＴＤＤ：Ｔｉｍｅ  Ｄｉｖｉｓｉｏｎ  Ｄｕｐｌｅｘｉｎｇ）モード及び周波数分割デュプレクス（ＦＤＤ：Ｆｒｅｑｕｅｎｃｙ  Ｄｉｖｉｓｉｏｎ  Ｄｕｐｌｅｘｉｎｇ）モードを含む）において、ｅＮｏｄｅＢ（イボルブドノードＢ、即ち、ＬＴＥ基地局）は無線アクセス部分に属する。ｅＮｏｄｅＢセルの送信パワーは、基地局のカバレッジを決定しており、カバーの問題又は干渉などを避ける問題を解決するためには、能動又は自動的にｅＮｏｄｅＢセルのパワーを調整することが要求される。
【０００３】
ＬＴＥシステムにおいて、ｅＮｏｄｅＢはベースバンドモジュール及びＲＦ（Ｒａｄｉｏ  Ｆｒｅｑｕｅｎｃｙ）モジュールを含む。フルサービスである場合、ＲＦアンテナポートから送信されるパワーとセル設定パワーとは一致する。ＬＴＥシステムにおいて、セルの実際の送信パワーの計算は、無線フレームのフレーム構造によって完成される。ＬＴＥシステムの各無線フレームの長さは全て１０ミリ秒（ｍｓ）であり、各サブフレームの長さは１ｍｓである。ＦＤＤモードの場合、１０つのサブフレームが下りリンク伝送に用いられるが、ＴＤＤモードの場合、異なる「上下リンクサブフレーム切替ポイント設定」に対応する下りサブフレームが異なり、一般的に、０番のサブフレーム、５番のサブフレームが下りサブフレームとして固定される。下りサブフレームのＩＱ値を読み取ることで、現在のセルの実際の送信パワーを取得することができる。
【０００４】
従来技術におけるゲイン調整方法は、概して、以下のステップを含む。
校正用線源がＲＦモジュールにテスト信号を送信し、現在のＲＦゲインを受信されたテスト信号のパワーと校正用線源パワーとの差分値に確定し、現在のＲＦゲインと目標ＲＦゲインとの差分値が所定値以上であれば、現在のＲＦゲインを目標ＲＦゲインに調整し、現在のＲＦゲインと目標ＲＦゲインとの差分値が所定値より小さいと、現在のＲＦゲインをそのまま保持する。調整後のＲＦゲインに基づいて、ベースバンドゲインはセル設定パワーの低下に従って低下する。
【０００５】
ここで、校正用線源は、パワーが一定のベースバンド校正用線源又はＲＦモジュール構造のパワーが一定の校正用線源であってもよく、目標ＲＦゲインはＲＦモジュールのメーカーにより確定される。
【発明の概要】
【発明が解決しようとする課題】
【０００６】
従来技術のゲイン調整方法において、調整の過程で、ＲＦゲインはセル設定パワーと関係がなく、ベースバンドモジュールがデータのビット幅を表すには制限があり、即ち、ベースバンドゲインの範囲には一定の制限があるので、セル設定パワーが低下すると、ベースバンドゲインもそれに従って低下され、ベースバンドゲインがある程度まで低下される場合、ベースバンド信号の精度もそれに従って低下されるので、ＲＦから送信される信号の品質が劣化される。したがって、セル設定パワーをたいへん低く設定することができず、即ち、セル設定パワーの範囲を縮小することがある。
【０００７】  本発明は、セル設定パワーの範囲を拡大することができるゲイン調整方法、装置、プログラム、及び記録媒体を提案する。
【課題を解決するための手段】
【０００８】
ゲイン調整方法は、
各チャネルに対して、チャネル定格フルパワーとチャネル設定パワーとの差分値を算出するステップと、
算出された差分値によって目標ベースバンドゲイン及び目標ＲＦゲインを調整するステップと、
現在のベースバンドゲインを目標ベースバンドゲインに調整し、現在のＲＦゲインを目標ＲＦゲインに調整するステップと
を含む。
【０００９】
選択的に、前記算出された差分値によって目標ベースバンドゲイン及び目標ＲＦゲインを調整するステップは、
前記算出された差分値が前記ベースバンドゲインの最大値と前記ベースバンドゲインの最小値との差以下であると判断した場合、前記目標ベースバンドゲインをｙ１に調整し、前記目標ＲＦゲインをＣに調整するステップを含み、
ここで、ｙ１＝Ｐｃ−Ｍ−Ｎ−Ｃであり、
ただし、Ｐｃは前記チャネル設定パワーであり、Ｍは前記ベースバンド信号パワーが０フルスケール相対レベルｄＢＦＳである場合に対応するＲＦパワーであり、Ｎはベースバンド信号のマキシマムパワーであり、Ｃは前記ＲＦゲインの最大値である。
【００１０】
選択的に、前記算出された差分値が前記ベースバンドゲインの最大値と前記ベースバンドゲインの最小値との差より大きいと判断した場合、前記算出された差分値によって目標ベースバンドゲイン及び目標ＲＦゲインを調整するステップは、
前記目標ベースバンドゲインをＡに調整し、前記目標ＲＦゲインをｙ２に調整するステップをさらに含み、
ここで、ｙ２＝Ｐｃ−Ｍ−Ｎ−Ａであり、
ただし、Ａは前記ベースバンドゲインの最小値である。
【００１１】
選択的に、前記算出された差分値によって目標ベースバンドゲイン及び目標ＲＦゲインを調整するステップは、
前記算出された差分値が前記ＲＦゲインの最大値と前記ＲＦゲインの最小値との差以下であると判断した場合、前記目標ベースバンドゲインをＤに調整し、前記目標ＲＦゲインをｙ３に調整するステップを含み、
ここで、ｙ３＝Ｐｃ−Ｍ−Ｎ−Ｄであり、
ただし、Ｄは前記ベースバンドゲインの最大値であり、Ｐｃは前記チャネル設定パワーであり、Ｍは前記ベースバンド信号パワーが０フルスケール相対レベルｄＢＦＳである場合に対応するＲＦパワーであり、Ｎはベースバンド信号のマキシマムパワーである。
【００１２】
選択的に、前記算出された差分値が前記ＲＦゲインの最大値と前記ＲＦゲインの最小値との差より大きいと判断した場合、前記算出された差分値によって目標ベースバンドゲイン及び目標ＲＦゲインを調整するステップは、
前記目標ＲＦゲインをＢに調整し、前記目標ベースバンドゲインをｙ４に調整するステップをさらに含み、
ここで、ｙ４＝Ｐｃ−Ｍ−Ｎ−Ｂであり、
ただし、Ｂは前記ＲＦゲインの最小値である。
【００１３】
選択的に、前記現在のＲＦゲインを目標ＲＦゲインに調整するステップは、
同じ位置にあるベースバンド信号の下りサブフレーム及びアンテナ給電信号の下りサブフレームのパワーによって、現在のＲＦゲインを算出し、算出された現在のＲＦゲインと目標ＲＦゲインとの差の絶対値が所定値以下であると判断した場合、前記現在のＲＦゲインをそのまま保持するステップを含む。
【００１４】
選択的に、算出された現在のＲＦゲインと目標ＲＦゲインとの差の絶対値が所定値より大きいと判断した場合、前記現在のＲＦゲインを目標ＲＦゲインに調整するステップは、
前記現在のＲＦゲインを目標ＲＦゲインに調整するステップをさらに含む。
【００１５】
また、ゲイン調整装置は、
各チャネルに対して、チャネル定格フルパワーとチャネル設定パワーとの差分値を算出し、算出された差分値によって目標ベースバンドゲイン及び目標ＲＦゲインを調整するサービスモジュールと、
現在のベースバンドゲインを目標ベースバンドゲインに調整するベースバンドモジュールと、
現在のＲＦゲインを目標ＲＦゲインに調整するＲＦモジュールと
を備える。
【００１６】
選択的に、前記サービスモジュールは、
各チャネルに対して、チャネル定格フルパワーとチャネル設定パワーとの差分値を算出し、前記算出された差分値が前記ベースバンドゲインの最大値と前記ベースバンドゲインの最小値との差以下であると判断した場合、前記目標ベースバンドゲインをｙ１に調整し、前記目標ＲＦゲインをＣに調整し、
ここで、ｙ１＝Ｐｃ−Ｍ−Ｎ−Ｃであり、
ただし、Ｐｃは前記チャネル設定パワーであり、Ｍは前記ベースバンド信号パワーが０フルスケール相対レベルｄＢＦＳである場合に対応するＲＦパワーであり、Ｎはベースバンド信号のマキシマムパワーであり、Ｃは前記ＲＦゲインの最大値である。
【００１７】
選択的に、前記サービスモジュールは、
前記算出された差分値が前記ベースバンドゲインの最大値と前記ベースバンドゲインの最小値との差より大きいと判断した場合、前記目標ベースバンドゲインをＡに調整し、前記目標ＲＦゲインをｙ２に調整し、
ここで、ｙ２＝Ｐｃ−Ｍ−Ｎ−Ａであり、
ただし、Ａは前記ベースバンドゲインの最小値である。
【００１８】
選択的に、前記サービスモジュールは、
前記算出された差分値が前記ＲＦゲインの最大値と前記ＲＦゲインの最小値との差以下であると判断した場合、前記目標ベースバンドゲインをＤに調整し、前記目標ＲＦゲインをｙ３に調整し、
ここで、ｙ３＝Ｐｃ−Ｍ−Ｎ−Ｄであり、
ただし、Ｄは前記ベースバンドゲインの最大値であり、Ｐｃは前記チャネル設定パワーであり、Ｍは前記ベースバンド信号パワーが０フルスケール相対レベルｄＢＦＳである場合に対応するＲＦパワーであり、Ｎはベースバンド信号のマキシマムパワーである。
【００１９】
選択的に、前記サービスモジュールは、
前記算出された差分値が前記ＲＦゲインの最大値と前記ＲＦゲインの最小値との差より大きいと判断した場合、前記目標ＲＦゲインをＢに調整し、前記目標ベースバンドゲインをｙ４に調整し、
ここで、ｙ４＝Ｐｃ−Ｍ−Ｎ−Ｂであり、
ただし、Ｂは前記ＲＦゲインの最小値である。
【００２０】
選択的に、前記ＲＦモジュールは、
同じ位置にあるベースバンド信号の下りサブフレーム及びアンテナ給電信号の下りサブフレームのパワーによって、現在のＲＦゲインを算出し、算出された現在のＲＦゲインと目標ＲＦゲインとの差の絶対値が所定値以下であると判断した場合、前記現在のＲＦゲインをそのまま保持する。
【００２１】  選択的に、前記ＲＦモジュールは、  算出された現在のＲＦゲインと目標ＲＦゲインとの差の絶対値が所定値より大きいと判断した場合、前記現在のＲＦゲインを目標ＲＦゲインに調整する。 また、プロセッサーに実行されることにより上記方法を実現するプログラムが提供される。  また、上記プログラムが記録された記録媒体が提供される。
【発明の効果】
【００２２】
本発明の技術的案によれば、チャネル定格フルパワーとチャネル設定パワーとの差分値によって、現在のベースバンドゲイン及び現在のＲＦゲインを同時に調整して、セル設定パワーを拡大することができる。
【００２３】
さらに、同じ位置にあるベースバンド信号の下りサブフレーム及びアンテナ給電信号の下りサブフレームのパワーによって、現在のＲＦゲインを算出して、算出された現在のＲＦゲインの信頼性を確保することができる。
【図面の簡単な説明】
【００２４】
【図１】本発明の実施例のゲイン調整方法のフローチャートである。
【図２】本発明の実施例のゲイン調整装置の構造を示す図である。
【発明を実施するための形態】
【００２５】
以下、図面を併せて本発明の実施形態を説明する。なお、本発明の実施例及び実施例における様々な方法は衝突しない場合に互いに組み合わせてもよい。
【００２６】
図１を参照すると、本発明の実施例によれば、ゲイン調整方法が提案され、下記のステップを含む。
【００２７】
ステップ１００：各チャネルに対して、チャネル定格フルパワー（ｃｈａｎｎｅｌ  ｒａｔｅｄ  ｆｕｌｌ  ｐｏｗｅｒ）とチャネル設定パワー（ｃｈａｎｎｅｌ  ｃｏｎｆｉｇｕｒａｔｉｏｎ  ｐｏｗｅｒ）との差分値を算出する。
【００２８】
本ステップにおいて、チャネル設定パワー＝セル設定パワー−１０ｌｇ（チャネル数）である。
【００２９】
例えば、チャネル定格フルパワーが３７ｄＢｍ、且つチャネル設定パワーが１０ｄＢｍである場合、算出された差分値は２７ｄＢｍである。
【００３０】
ステップ１０１：算出された差分値によって目標ベースバンドゲイン及び目標ＲＦゲインを調整する。
【００３１】
本ステップにおいて、算出された差分値によって目標ベースバンドゲイン及び目標ＲＦゲインを調整するステップは、以下のステップを含む。
【００３２】
算出された差分値がベースバンドゲインの最大値Ｄとベースバンドゲインの最小値Ａとの差以下であると判断した場合には、目標ベースバンドゲインをｙ１に調整し、目標ＲＦゲインをＣに調整する。ここで、ｙ１＝Ｐｃ−Ｍ−Ｎ−Ｃであり、ただし、Ｐｃはチャネル設定パワーであり、Ｍはベースバンド信号パワーが０フルスケール相対レベル（ｄＢＦＳ：ｄＢ  Ｆｕｌｌ  Ｓｃａｌｅ）である場合に対応するＲＦパワーであり、Ｎはベースバンド信号のマキシマムパワーであり、ＣはＲＦゲインの最大値である。
【００３３】
算出された差分値がベースバンドゲインの最大値Ｄとベースバンドゲインの最小値Ａとの差より大きいと判断した場合には、目標ベースバンドゲインをＡに調整し、目標ＲＦゲインをｙ２に調整する。ここで、ｙ２＝Ｐｃ−Ｍ−Ｎ−Ａであり、ただし、Ａは前記ベースバンドゲインの最小値である。
【００３４】
例えば、Ａが−１０ｄＢ、Ｄが０ｄＢ、Ｐｃが３０ｄＢｍ、Ｍが０ｄＢｍ、Ｎが−１３ｄＢＦＳ、且つＣが５０ｄＢである場合、算出された差分値（７ｄＢｍ）が（Ｄ−Ａ）の差分値（１０ｄＢ）より小さいため、目標ベースバンドゲインをＰｃ−Ｍ−Ｎ−Ｃ＝３０ｄＢｍ−０ｄＢｍ−（−１３ｄＢＦＳ）−５０ｄＢ＝−７ｄＢに調整し、目標ＲＦゲインを５０ｄＢに調整する。
【００３５】
Ｐｃが２０ｄＢｍである場合、算出された差分値（１７ｄＢ）が（Ｄ−Ａ）（１０ｄＢｍ）より大きいため、目標ベースバンドゲインを−１０ｄＢに調整し、目標ＲＦゲインをＰｃ−Ｍ−Ｎ−Ａ＝２０ｄＢｍ−０ｄＢｍ−（−１３ｄＢＦＳ）−（−１０ｄＢｍ）＝４３ｄＢに調整する。
【００３６】
あるいは、算出された差分値によって目標ベースバンドゲイン及び目標ＲＦゲインを調整するステップは、以下のステップを含む。
【００３７】
算出された差分値がＲＦゲインの最大値ＣとＲＦゲインの最小値Ｂとの差以下であると判断した場合には、目標ベースバンドゲインをＤに調整し、目標ＲＦゲインをｙ３に調整する。ここで、ｙ３＝Ｐｃ−Ｍ−Ｎ−Ｄである。
【００３８】
算出された差分値がＲＦゲインの最大値ＣとＲＦゲインの最小値Ｂとの差より大きいと判断した場合には、目標ＲＦゲインをＢに調整し、目標ベースバンドゲインをｙ４に調整する。ここで、ｙ４＝Ｐｃ−Ｍ−Ｎ−Ｂであり、ただし、ＢはＲＦゲインの最小値である。
【００３９】
例えば、Ｐｃが１０ｄＢｍ、且つＢが２０ｄＢである場合、算出された差分値（２７ｄＢ）が（Ｃ−Ｂ）（３０ｄＢ）より小さいため、目標ベースバンドゲインを０ｄＢに調整し、目標ＲＦゲインをＰｃ−Ｍ−Ｎ−Ｄ＝１０ｄＢｍ−０ｄＢｍ−（−１３ｄＢＦＳ）−０ｄＢ＝２３ｄＢに調整する。
【００４０】
Ｐｃが６ｄＢｍである場合、算出された差分値（３１ｄＢ）が（Ｃ−Ｂ）（３０ｄＢ）より大きいため、目標ＲＦゲインを２０ｄＢに調整し、目標ベースバンドゲインをＰｃ−Ｍ−Ｎ−Ｂ＝６ｄＢｍ−０ｄＢｍ−（−１３ｄＢＦＳ）−２０ｄＢ＝−１ｄＢに調整する。
【００４１】
ステップ１０２：現在のベースバンドゲインを目標ベースバンドゲインに調整し、現在のＲＦゲインを目標ＲＦゲインに調整する。
【００４２】
本ステップにおいて、現在のＲＦゲインを周期的に目標ＲＦゲインに調整することができる。
【００４３】
本ステップにおいて、現在のＲＦゲインを目標ＲＦゲインに調整するステップは、同じ位置にあるベースバンド信号の下りサブフレーム及びアンテナ給電信号の下りサブフレームのパワーによって、現在のＲＦゲインを算出し、算出された現在のＲＦゲインと目標ＲＦゲインとの差の絶対値が所定値以下であると判断した場合、現在のＲＦゲインをそのまま保持し、算出された現在のＲＦゲインと目標ＲＦゲインとの差の絶対値が所定値より大きいと判断した場合、現在のＲＦゲインを目標ＲＦゲインに調整するステップを含む。
【００４４】
ここで、現在のＲＦゲインは、アンテナ給電信号の下りサブフレームのパワーからベースバンド信号の下りサブフレームのパワーとＭとの和を引いて得られた差分値である。
【００４５】
ここで、ベースバンド信号の下りサブフレームは１つ又は複数であってもよく、アンテナ給電信号の下りサブフレームは１つ又は複数であってもよい。複数である場合、ベースバンド信号の下りサブフレームのパワーは各下りサブフレームのパワーの平均値であり、アンテナ給電信号の下りサブフレームのパワーは各下りサブフレームのパワーの平均値である。
【００４６】
ここで、所定値は０．２デシベル（ｄＢ）であってもよい。
【００４７】
図２を参照すると、本発明の実施例によればゲイン調整装置がさらに提案され、少なくとも
各チャネルに対して、チャネル定格フルパワーとチャネル設定パワーとの差分値を算出し、算出された差分値によって目標ベースバンドゲイン及び目標ＲＦゲインを調整するサービスモジュール２１と、
現在のベースバンドゲインを目標ベースバンドゲインに調整するベースバンドモジュール２２と、
現在のＲＦゲインを目標ＲＦゲインに調整するＲＦモジュール２３と、を備える。
【００４８】
本発明の実施例の装置において、サービスモジュール２１は、
各チャネルに対して、チャネル定格フルパワーとチャネル設定パワーとの差分値を算出し、算出された差分値がベースバンドゲインの最大値とベースバンドゲインの最小値との差以下であると判断した場合、目標ベースバンドゲインをｙ１に調整し、目標ＲＦゲインをＣに調整するように構成され、
ここで、ｙ１＝Ｐｃ−Ｍ−Ｎ−Ｃであり、
ただし、Ｐｃはチャネル設定パワーであり、Ｍはベースバンド信号パワーが０フルスケール相対レベルｄＢＦＳである場合に対応するＲＦパワーであり、Ｎはベースバンド信号のマキシマムパワーであり、ＣはＲＦゲインの最大値である。
【００４９】
本発明の実施例の装置において、サービスモジュール２１は、
算出された差分値がベースバンドゲインの最大値とベースバンドゲインの最小値との差より大きいと判断した場合、目標ベースバンドゲインをＡに調整し、目標ＲＦゲインをｙ２に調整するように構成され、
ここで、ｙ２＝Ｐｃ−Ｍ−Ｎ−Ａであり、
ただし、Ａはベースバンドゲインの最小値である。
【００５０】
本発明の実施例の装置において、サービスモジュール２１は、
算出された差分値がＲＦゲインの最大値とＲＦゲインの最小値との差以下であると判断した場合、目標ベースバンドゲインをＤに調整し、目標ＲＦゲインをｙ３に調整するように構成され、
ここで、ｙ３＝Ｐｃ−Ｍ−Ｎ−Ｄであり、
ただし、Ｄはベースバンドゲインの最大値であり、Ｐｃはチャネル設定パワーであり、Ｍはベースバンド信号パワーが０フルスケール相対レベルｄＢＦＳである場合に対応するＲＦパワーであり、Ｎはベースバンド信号のマキシマムパワーである。
【００５１】
本発明の実施例の装置において、サービスモジュール２１は、
算出された差分値がＲＦゲインの最大値とＲＦゲインの最小値との差より大きいと判断した場合、目標ＲＦゲインをＢに調整し、ベースバンドＲＦゲインをｙ４に調整するように構成され、
ここで、ｙ４＝Ｐｃ−Ｍ−Ｎ−Ｂであり、
ただし、Ｂは前記ＲＦゲインの最小値である。
【００５２】
本発明の実施例の装置において、ＲＦモジュール２３は、同じ位置にあるベースバンド信号の下りサブフレーム及びアンテナ給電信号の下りサブフレームのパワーによって、現在のＲＦゲインを算出し、算出された現在のＲＦゲインと目標ＲＦゲインとの差の絶対値が所定値以下であると判断した場合、現在のＲＦゲインをそのまま保持するように構成される。
【００５３】
本発明の実施例の装置において、ＲＦモジュールは、算出された現在のＲＦゲインと目標ＲＦゲインとの差の絶対値が所定値より大きいと判断した場合、現在のＲＦゲインを目標ＲＦゲインに調整するように構成される。
【００５４】
当業者であれば、上記実施例の全部又は一部のステップが、コンピュータプログラムプロセスにより実現されることができ、前記コンピュータプログラムが１つのコンピュータ読み取り可能な記録媒体に記憶されることができ、前記コンピュータプログラムが相応のハードウェアプラットフォーム上（例えばシステム、設備、装置、部品等）で実行し、実行する時に方法の実施例のステップ中の１つ又はその組み合わせを含むことは理解できる。
【００５５】
選択的に、上記実施例の全部又は一部のステップは、集積回路を用いて実現することもでき、これらのステップは、それぞれの集積回路モジュールに製造されて、又はそれらのうちの複数のモジュール又はステップを単一の集積回路モジュールに製造して実現することができる。
【００５６】
上記実施例における装置／機能モジュール／機能ユニットは、汎用の計算装置を用いて実現されることができ、それらは単一の計算装置に集中されてもよく、複数の計算装置により構成されたネットワークに分散されてもよい。
【００５７】
上記実施例における装置／機能モジュール／機能ユニットがソフトウェア機能モジュールにより実現され、且つ独立した製品として販売又は使用される場合には、１つのコンピュータ読み取り可能な記録媒体に記憶されることができる。上述で言及されたコンピュータ読み取り可能な記録媒体は、読み取り専用メモリ（ＲＯＭ）、磁気ディスク又は光ディスク等であってもよい。
【産業上の利用可能性】
【００５８】
本発明の技術的案によれば、チャネル定格フルパワーとチャネル設定パワーとの差分値によって、現在のベースバンドゲイン及び現在のＲＦゲインを同時に調整して、セル設定パワーの範囲を拡大することができる。また、同じ位置にあるベースバンド信号の下りサブフレーム及びアンテナ給電信号の下りサブフレームのパワーによって、現在のＲＦゲインを算出して、算出された現在のＲＦゲインの信頼性を確保することができる。
【図１】
0006426281.tif 000002
【図２】
0006426281.tif 000003